(57)【要約】  【目的】熱転写式記録装置に用いるインクシートの残量を使用者が外部から常に容易に把握できるようにし、インクシートカセットを装填する時にも同様にインクシートの残量を容易に確認できるようにする。  【構成】インクシート１３が巻回されてインクカセット１０内に装着されるボビン軸１１にフランジ部１１ｃを設け、該フランジ部に孔を開け、インクカセットの側面に前記フランジ部の孔を通して前記ボビン軸のインクシート巻回量を把握可能なリボン観察孔を設け、さらに、記録装置の外装部側面にも前記リボン観察孔を通して前記ボビン軸のインクシート巻回量を外部から把握できるリボン観察窓を設ける。また、前記リボン観察孔を照射する照明手段を設ける。【選択図】                図１１
2005074728.tif 000002
【特許請求の範囲】
【請求項１】
記録手段としての複数の加熱素子を有する加熱手段により、インクシート上のインクを被記録材に転写して記録する熱転写式記録装置において、装置本体内部に装填されるインクシートカセットの供給ボビン軸の端部にフランジ部を設け、前記該フランジ部に供給ボビン軸上のインクシートの巻回状態を観察できる孔を形成し、前記インクシートカセットの側面に前記孔を通してインクシートの巻回量を確認できる観察孔を形成し、装置本体内部に前記フランジ部に照明を当てる照明手段を設けるとともに、装置本体の外装に前記フランジ部を見ることができる観察窓を設けることを特徴とする熱転写式記録装置。
【請求項２】
前記フランジ部に前記インクシートの巻回量を示すスケールが表示されていることを特徴とする請求項１に記載の熱転写式記録装置。
【請求項３】
記録手段としての複数の加熱素子を有する加熱手段により、インクシート上のインクを被記録材に転写して記録する熱転写式記録装置において、
装置本体に装填されるインクシートカセットのボビン軸を回動させるためのボビン駆動部と、該インクシートカセットのボビン軸に回転抵抗を付与する回転抵抗部と、を備え、  前記ボビン駆動部は、インクシートカセットが脱着可能な状態のときは前記ボビン軸が軸方向に移動して係合が外れ、インクシートカセットが装填された状態では該ボビン軸に回転力伝達可能に係合し、
前記回転抵抗部は、インクシートカセットが脱着可能な状態のときは前記ボビン軸が軸方向に移動して係合が外れ、インクシートカセットが装填された状態では該ボビン軸に係合するように構成されていることを特徴とする熱転写式記録装置。
【請求項４】
前記ボビン駆動部と前記回転抵抗部は、記録手段としての前記加熱手段の回動動作に連動して前記ボビン軸との係合が外れることを特徴とする請求項１に記載の熱転写式記録装置。
【発明の詳細な説明】
【技術分野】
【０００１】
本発明は、画像情報を基づいて記録紙等の被記録材に画像を形成するプリンタや印刷装置などの記録装置であって、記録手段として複数の加熱素子を有する加熱手段により、インクシート上のインクを被記録材に転写して記録する熱転写式記録装置に関する。
【背景技術】
【０００２】
プリンタや印刷装置なとの記録装置は、記録方式に応じて、熱転写式記録装置、インクジェット記録装置、レーザー記録装置、ワイヤードット記録装置などに分類できる。そのうち、熱転写式記録装置は、記録手段として複数の加熱素子を有する加熱手段により、インクシート上のインクを被記録材に転写して記録するものである。また、この熱転写式記録装置の一構成例として、例えば、印画用紙に感熱型の用紙を用い、主走査方向に配列された複数個の発熱体を選択的に駆動して用紙を副走査方向に搬送することにより、用紙にドットライン状に印画を行うライン熱転写式記録装置が存在する。近年、入力側としてのデジタルカメラやデジタルビデオカメラ、又はスキャナなどの画像を扱う入力機器の進歩に伴い、熱転写式記録装置に対する注目度が高くなっている。上記熱転写式記録装置は、静止画を記録するスチルカメラやビデオカメラなどによって撮像された電子情報を、コンピュータもしくは記録媒体を介して該装置によってプリント出力するのに好適な記録装置である。
【０００３】
例えばインクジェット記録装置などの他の方式の記録装置では、ドットを形成するか否かの２値の選択しかないために、小さなドットを記録紙に形成しながら誤差拡散等の手法でみかけの解像度と階調性を得ようとするのに対して、熱転写式記録装置の場合には、１つの画素を制御可能な熱の値を容易に変更できるため、１つの画素に対する階調性を多く取ることが可能になるので、インクジェット記録装置等の他の記録装置に比べて滑らかで高画質な画像を得ることができるという利点がある。また、熱転写式記録装置は、記録手段としてのサーマルヘッドの性能や用紙材料の性能も向上したために、仕上がり品位でも銀塩写真に見劣りしない画像プリントを得ることが可能であり、近年のデジタルカメラの進歩に歩調を合わせるように、特に自然画像用のプリンタとして注目されている。
【０００４】
そこで、上記の記録装置とデジタルカメラやデジタルビデオカメラなどの撮像機器を直接的に接続することなく、あるいは、一体的に構成して撮影された画像情報をコンピュータなどの画像情報を処理する機器を介することなく、直接的にプリント出力するシステムも登場している。こうしたシステムによれば、デジタルカメラやデジタルビデオカメラからの画像情報を簡単に写真的なプリントアウトを行うことが可能になり、大変便利である。さらに、記録装置をデジタルカメラ等の画像出力装置として用いるにあたっては、該記録装置に対しても、デジタルカメラの用途に応じたモバイル性を持つことがユーザに要求され、それに伴う小型化、軽量化等が必要とされている。
【０００５】
特開２００１−１５１４２３には、記録装置の小型化及び部品点数の削減について記載されている。これは、記録媒体と、この記録媒体を印刷手段（記録手段）側へ搬送可能な搬送ローラとを備え、この搬送ローラの回転により、印刷時に記録媒体を印刷手段側に給紙する給紙動作と、印刷後の記録媒体を搬送方向と反対方向に戻し、この戻された記録媒体を排紙する排紙動作と、を可能にしたことを特徴とするプリント装置の給排紙機構が開示されている。これによれば、従来のプリンタの給排紙機構が持つ給紙ローラ及び排紙ローラの２つのローラを１つの搬送ローラに統一することで部品点数が少なくなり、プリンタの小型化にもつながるというものであり、非常に効果的である。
【０００６】
また、特開２００１−２６０４７１には、プリント装置の小型化について記載されている。このプリント装置は、プリント装置の底面側に設けられ、用紙送り制御、インクリボン送り制御のうち少なくとも一方を制御する制御回路を有する制御基板と、プリント装置の一側面側に設けられ、電池接点が接続されるパワー基板と、前記制御基板と前記パワー基板を電気的に接続する接続手段と、を具備し、前記制御基板と前記パワー基板とは該制御基板の一端部側と該パワー基板の一端部側同士で接続し、接続された両基板は略Ｌ字状となってプリント装置内の外装よりに実装されることを特徴としている。このような構成は、プリント動作するのに必要な回路群を搭載した回路基板の実装形態や配置構成に改良を施すことにより、基板の実装面積を小さくすることができ、プリント装置の小型化にとって非常に効果的である。
【０００７】
本願に記載される発明についての先行技術文献には次のようなものがある。
【特許文献１】特開２００１−１５１４２３
【特許文献２】特開２００１−２６０４７１
【特許文献３】特開２０００−５２６２９
【特許文献４】特開２００１−５８４５３
【発明の開示】
【発明が解決しようとする課題】
【０００８】
しかしながら、上記従来例では十分な小型化、低コスト化及び高速化等に十分な解決方法を与えるものではなかった。また、従来の熱転写式記録装置では、利便性という点において、使用中のリボンカセットの残量を使用者が窺い知ることができないという不都合がある。この点の解決法として、特開２０００−５２６２９に次のような事項が開示されている。これは、プラテンに沿って往復動自在とされたキャリッジにサーマルヘッドを取付けるとともに、該キャリッジの上面にリボンカセット（インクシートカセット）の各リールに嵌合される送出しボビン及び巻取りボビンをそれぞれ配設し、前記キャリッジを移動させて前記巻取りボビンを回転させることにより、前記リボンカセットに収納されているインクリボン（インクシート）を巻取りながら、所望の記録を行なう熱転写プリンタにおけるインクリボンの状態検出装置であって、前記リボンカセットに収納されているインクリボンの種類を検出するインクリボン種類検出手段と、前記送出しボビンの角速度を検出する角速度検出手段と、前記インクリボン種類検出手段及び角速度検出手段からの検出信号によりリボンカセットに収納されているインクリボンの残量を演算するインクリボン残量演算手段とを有することを特徴とする熱転写プリンタにおけるインクリボンの状態検出装置である。そして、このような構成によって、前記送出しボビンの角速度の変化から、現在のリボン巻取り量を演算することにより、プリンタに設けた表示手段を用いて使用者にリボン残量を表示することができるというものである。
【０００９】
しかしながら、上記のような方法では、検出手段及び表示手段として新たに多くの部品を必要とし、小型化、軽量化、コストの面で使用者にとって性能の良いプリンタを提供することはできていないという技術的課題があった。第１の本発明はこのような技術的課題に鑑みてなされたものであり、第１の本発明の目的は、新たに煩雑な検出手段を用いることなく、使用者にリボンの残量を示すことができる熱転写式記録装置を提供することである。
【００１０】
さらに、熱転写式プリンタを更に小型化にする手段の１つとして、インクカセット（インクシートカセット）の装着方法の改良がある。従来インクカセットのプリント装置への装着は、サーマルヘッドの長手方向に装置本体側面から挿入するものが一般的であった。しかしながら、このような方法の場合、インクカセットに装着（収納）されたインクシートをサーマルヘッドとプラテンローラとの間に人の手で差し込むような状態になるため、装着時におけるサーマルヘッドとプラテンローラとの間隔を印画動作時に比べて余裕を持って広げておく必要があり、また、インクカセット自体の通過する空間の外周にもある程度のスペース的な余裕を持たせる必要があった。そのため、プリンタ装置内には、印画動作時に必要な空間の他に余分な無駄な空間が必要となり、装置本体が大型になってしまうという不都合があった。
【００１１】
このような課題の解決方法として、装置本体の構成を、プラテンローラをエンジンフレームに支持させ、サーマルヘッドを該フレームに対して開閉可能な蓋に取り付けるような構成とする方法が考えられる。このような構成を採れば、前記蓋を閉じた状態においてインクカセットを側面から装着する際に必要であった無駄な空間を設けなくても、インクカセット装着時に該蓋を開くことによりプラテンローラとサーマルヘッドとの間に十分な空間を作り出すことができ、その空間にインクカセットを置いて該蓋を閉じればインクカセットの装填が完了する。
【００１２】
しかし、このような構成をとった場合、インクカセットのインクシートを巻き取るための駆動力被伝達部に係合するためのボビンがインクカセット装着時にインクカセット側面と干渉してしまうという不都合があった。そのため、インクカセット装着時に前記ボビンはその軸方向にインクカセットを避けるように退いていなくてはならない。特開２００１−５８４５３では、このような課題に対応するために、前記蓋の開閉軸にカムを設け、ボビンを該カムに常に接触させておき、蓋が開いているときにはボビンを退避させ、蓋が閉じた状態の時にはボビンが飛び出して駆動力被伝達部に係合する状態にさせるという手法を提案している。しかしながら、このような方法では、蓋の開閉に応じてリボン巻取り側のボビンのみを移動させることしかできない。
【００１３】
熱転写プリンタに用いるインクカセットは、使用者の手に渡るまでの搬送時等の間にリボンが緩んでしまうことを防ぐために、インクシート供給軸とインクシート巻取り軸を弾性体で片側に押付けて回転できないようにしているのが一般的である。この緩み防止機構の解除は、両軸の係合部にそれぞれボビンを押し込んでバネによる軸の押付けを解除することによって行っている。したがって、上述した従来例では、巻取り軸側のボビンの移動しか行えておらず、供給軸側のボビンの移動が実現できていないという不都合な点があった。第２の本発明はこのような技術的課題に鑑みてなされたものであり、第２の本発明の目的は、プラテンローラをエンジンフレームに支持させ、サーマルヘッドを該フレームに対して開閉可能な蓋に取り付けた構成の熱転写式記録装置においても、前記蓋の開閉に対応してリボン巻取り用のボビンとリボン供給側のボビンとがそれぞれ軸方向に移動できるようにすることで、インクカセットの着脱を容易に行うことができる小型な熱転写式記録装置を提供することである。
【課題を解決するための手段】
【００１４】
第１の本発明は、上記目的を達成するため、記録手段としての複数の加熱素子を有する加熱手段により、インクシート上のインクを被記録材に転写して記録する熱転写式記録装置において、装置本体内部に装填されるインクシートカセットの供給ボビン軸の端部にフランジ部を設け、前記該フランジ部に供給ボビン軸上のインクシートの巻回状態を観察できる孔を形成し、前記インクシートカセットの側面に前記孔を通してインクシートの巻回量を確認できる観察孔を形成し、装置本体内部に前記フランジ部に照明を当てる照明手段を設けるとともに、装置本体の外装に前記フランジ部を見ることができる観察窓を設けることを特徴とする。このような構成により、使用者は目視によってインクシートの残量を容易にかつ的確に把握することができる。上記構成においては、更に、前記フランジ部に前記インクシートの巻回量を示すスケールが表示されている構成とすることにより、使用者がより正確にリボン残量を認知できるようにすることが好ましい。
【００１５】
第２の本発明は、上記目的を達成するため、記録手段としての複数の加熱素子を有する加熱手段により、インクシート上のインクを被記録材に転写して記録する熱転写式記録装置において、装置本体に装填されるインクシートカセットのボビン軸を回動させるためのボビン駆動部と、該インクシートカセットのボビン軸に回転抵抗を付与する回転抵抗部と、を備え、前記ボビン駆動部は、インクシートカセットが脱着可能な状態のときは前記ボビン軸が軸方向に移動して係合が外れ、インクシートカセットが装填された状態では該ボビン軸に回転力伝達可能に係合し、前記回転抵抗部は、インクシートカセットが脱着可能な状態のときは前記ボビン軸が軸方向に移動して係合が外れ、インクシートカセットが装填された状態では該ボビン軸に係合するように構成されていることを特徴とする。
【００１６】
このような構成により、装置本体の上蓋を開いてインクシートカセットを装填するような熱転写式記録装置において、インクシートカセット着脱時にはボビンが係合位置から退避することから、容易にインクシートカセットの着脱を行うことが可能になる。上記構成においては、更に、前記ボビン駆動部と前記回転抵抗部は、記録手段としての前記加熱手段の回動動作に連動して前記ボビン軸との係合が外れる構成とすることにより、新たに駆動力源を必要しない安価な構成で、インクシートカセットの着脱作業の容易化を実現することが好ましい。
【発明の効果】
【００１７】
第１の本発明によれば、装置本体内部に装填されるインクシートカセットの供給ボビン軸の端部にフランジ部を設け、前記該フランジ部に供給ボビン軸上のインクシートの巻回状態を観察できる孔を形成し、前記インクシートカセットの側面に前記孔を通してインクシートの巻回量を確認できる観察孔を形成し、装置本体内部に前記フランジ部に照明を当てる照明手段を設けるとともに、装置本体の外装に前記フランジ部を見ることができる観察窓を設ける構成とするので、使用者が目視によってインクシートの残量を容易にかつ的確に把握することができる熱転写式記録装置が提供される。
【００１８】
第２の本発明によれば、装置本体に装填されるインクシートカセットのボビン軸を回動させるためのボビン駆動部と、該インクシートカセットのボビン軸に回転抵抗を付与する回転抵抗部と、を備え、前記ボビン駆動部は、インクシートカセットが脱着可能な状態のときは前記ボビン軸が軸方向に移動して係合が外れ、インクシートカセットが装填された状態では該ボビン軸に回転力伝達可能に係合し、前記回転抵抗部は、インクシートカセットが脱着可能な状態のときは前記ボビン軸が軸方向に移動して係合が外れ、インクシートカセットが装填された状態では該ボビン軸に係合するように構成するので、インクシートカセット着脱時にボビンを係合位置から退避させることにより、容易にインクシートカセットの着脱を行うことができる熱転写式記録装置が提供される。
【発明を実施するための最良の形態】
【００１９】
以下、図面を参照して本発明の実施の形態を具体的に説明する。なお、各図面を通して同一符号は同一又は対応部分を示すものである。図１〜図３は本発明を適用した記録装置の全体構成例を示す模式的縦断面図であり、図１は給紙時の状態を、図２は記録開始位置の状態を、図３は記録終了位置の状態をそれぞれ示す。図１〜図３において、記録をするときには、装置本体１に複数枚の被記録材（記録紙）Ｐを積載した用紙カセット２を差し込んで給紙準備を行う。この際、記録紙Ｐにはカードサイズ、Ｌサイズ、ポストカードサイズ等、複数種のサイズが用意されており、用紙カセット２の大きさもそれらに応じた幅と長さになる。用紙カセット２の底面にはレール状の突起が形成されており、これを装置本体１に設けた溝に嵌合させることにより記録紙Ｐのサイズに応じて幅の異なる用紙カセット２の幅方向の中心と装置本体１の幅方向の中心が一致するような位置揃えを行う。次いで給紙ローラ３で記録紙Ｐを１枚ずつ分離給送することにより給紙を行う。この際、記録紙Ｐは、駆動モータ２６で回転駆動されるカムギア４（不図示）によって、バネ付勢された紙押し上げ板５を持ち上げることにより、用紙カセット２の一部を切り出して形成された押し上げプレート６によって給紙ローラ３に当接される。
【００２０】
給紙ローラ３によって搬送された記録紙Ｐは、ピンチローラ７と紙搬送ローラ８で構成された搬送ローラ対によって挟持されることで、記録部を往復搬送移動可能な状態になる。記録紙Ｐは、搬送ローラ対でさらに装置奥へ搬送され、記録紙先端Ｐａは記録部（印画部）を通過し、さらに搬送されることで記録紙後端Ｐｂが給紙ローラ３から離脱もしくは離脱直前の状態となる。つまり、経路切り替えフラップ９の下方を通して給紙された記録紙Ｐは、図２に示す記録開始位置（印画開始位置）の状態となり、記録紙Ｐはそれ以上は奥へ搬送されることはない。記録紙先端Ｐａがインクカセット１０とカセットガイド１４との間に設けられた隙間を通過し、記録紙Ｐが紙送りガイド１５で進行方向を変えて電池室５３の上部を通過して本体後部上方から飛び出したところで、図２の印画開始位置になる。
【００２１】
記録動作（印画動作）は、図２の印画開始位置から記録用紙Ｐを装置手前方向に搬送しながら、図３に示す印画終了位置に到達させるまでの間に行われる。この印画動作のときには、用紙搬送経路は前述の印画開始までの搬送とは異なり、記録紙後端Ｐｂが経路切り替えフラップ９の上方を通過する。そして、経路切り替えフラップ９の上方を通った記録紙Ｐは、給紙ローラ３と紙押さえローラ１６との間を通過して装置本体１外に出て印画終了位置（図３）に至る。排紙時には印画終了位置からさらに装置手前へ向けて紙搬送を行い、記録紙先端Ｐａが搬送ローラ対から切り離され、それ以降給紙ローラ３と紙押さえローラ１６との保持力のみで記録紙Ｐを搬送しながら、該記録紙Ｐを給紙ローラ３から切り離して用紙カセット２上面に着地させる。
【００２２】
次に、記録部（印画部）について説明する。図示の記録装置は熱転写式記録装置であり、記録手段としてのサーマルヘッド１８は複数の加熱素子を有する加熱手段で構成されている。この熱転写式記録装置においては、加熱手段としてのサーマルヘッド１８によりインクシート１３上のインクを被記録材（記録紙等）Ｐに加熱転写することで記録が行われる。印画部（記録部）においては、記録紙搬送経路を挟んでプラテンローラ１７と記録情報に応じて発熱するサーマルヘッド１８とが対向している。そして、インクカセット１０に収納されてリボン送りされるインクシート１３と記録紙Ｐとを、プラテンローラ１７によってサーマルヘッド１８側へ押し上げて圧接することで適当な圧力で圧着させ、サーマルヘッド１８の発熱素子を選択的に加熱することにより、該記録紙Ｐに対する所定画像の熱転写記録が行われる。
【００２３】
また、この熱転写記録記録と同時に、記録紙Ｐ上の画像を保護するための保護層をオーバーコートする動作も行われる。前記プラテン１７は、上下動可能に装着されており、後述する駆動モータ２６で回転駆動されるカムギア４によってサーマルヘッド１８側へバネ力に抗して押し上げられる。また、前記インクシート１３には、熱溶融性又は熱昇華性インクを塗布した画像形成用のインク層と印画面を保護するために印画面上にオーバーコートされる前記オーバーコート層とが設けられている。前記インクシート１３は、記録紙Ｐの印画領域を覆ってそのサイズと略等しいサイズでイエロー（Ｙ）、マゼンタ（Ｍ）、シアン（Ｃ）の各インク層とオーバーコート（ＯＰ）層が並べて設けられたものであり、各層ずつ熱転写しては、記録紙Ｐを図２に示す印画開始位置に戻し、そこから色ごとの印画動作を繰り返しながら記録紙Ｐ上に順次重ねて熱転写される。
【００２４】
次にインクカセット（インクシートカセット）１０について説明する。図４は図１中のインクカセット１０の模式的斜視図であり、図５は図４のインクカセットの分解斜視図であり、図６は図４のインクカセットを装置本体に装填する時の状態を説明するための模式的斜視図である。なお、図５は図４のインクカセット１０を下側から見たものである。インクカセット１０はリボン供給部１０ａとリボン巻取り部１０ｂと連結部１０ｃとで構成されている。連結部１０ｃは、筒状ケースから成るリボン供給部１０ａとリボン巻取り部１０ｂとを連結するものである。供給ボビン軸１１はリボン供給部１０ａ内に、巻取りボビン軸１２はリボン巻取り部１０ｂ内にそれぞれ組み込まれるものである。インクシート１３は、その両端をそれぞれ供給ボビン軸１１と巻取りボビン軸１２に固定され、未使用の初期段階においてはその全てを供給ボビン軸１１側に巻き回した状態でインクシートカセット（インクカセット）１０内に組み込まれている。
【００２５】
供給ボビン軸１１の一端部には、装置本体側の対応位置に突出退避可能に装着された供給側ボビン２２ａを回転力伝達可能に差し込むことができる円筒形状部１１ａが設けられ、同様に、巻取りボビン軸１２の一端部には、装置本体側の対応位置に突出退避可能に装着された巻取りボビン２２ｂを回転力伝達可能に差し込むことができる円筒形状部１２ａが設けられている。供給ボビン軸１１及び巻取りボビン軸１２には、それらの円筒形状部１１ａ、１２ａと軸本体との間に、円盤状のつば１１ｂ、１２ｂがそれぞれ設けられている。このつば１１ｂ、１２ｂの円筒形状部１１ａ、１２ａ側の面には、放射状の凹凸が設けられている。
【００２６】
リボン供給部１０ａ及びリボン巻取り部１０ｂには、それぞれのボビン軸１１、１２のつば１１ｂ、１２ｂを受ける内壁１０ｄ、１０ｅが設けられ、内壁１０ｄ、１０ｅのそれぞれには、ボビン軸１１、１２のつば１１ｂ、１２ｂの凹凸部が係合することができるリブが設けられている。通常、リボン（インクカセット）未使用時には、ボビン軸１１、１２は内壁１０ｄ、１０ｅにバネで押し当てられ、ボビン軸１１、１２のつば１１ｂ、１２ｂの凹凸部と内壁１０ｄ、１０ｅのリブとが係合することにより、ボビン軸１１、１２が外部からの衝撃や振動等により回転してしまうことを防いでいる。
【００２７】
リボンの巻取りは、次のような構成によって行われる。すなわち、供給ボビン軸１１、巻取りボビン軸１２それぞれの円筒形状部１１ａ、１２ａを装置本体側に出入り可能に装着された供給側ボビン２２ａ、巻取りボビン２２ｂにそれぞれ差し込むことにより、前記ばねの押し付け力に反してボビン軸１１、１２を押し戻すことによりボビン軸１１、１２のつば１１ｂ、１２ｂの凹凸部と内壁１０ｄ、１０ｅのリブと係合を解除させて両ボビン軸１１、１２を回転自由にするとともに、供給ボビン軸１１、巻取りボビン軸１２の円筒形状部１１ａ、１２ａの内側のリブに供給側ボビン２２ａ、巻取りボビン２２ｂの外周に形成したリブを係合させ、それによって、ボビン２２（巻取りボビン２２ｂ）を回転駆動してボビン軸（巻取りボビン軸１２）を回転させることにより、リボンの巻取り動作が行われる。
【００２８】
図６はインクシートカセット１０を装置本体に装填する時の状態を示す模式的斜視図である。図６において、インクシートカセット（インクカセット）１０の装置本体１への装着は、インクシート１３を印画部のサーマルヘッド１８とプラテンローラ１７との間に位置させるように行わなければならない。本実施の形態においては、サーマルヘッド１８を保持する上板１９を上板軸２０を中心に回転させながら開いて、サーマルヘッド１８とプラテンローラ１７との間に十分な空間を作り出すことにより、装置前方からのインクカセット１０を装填可能な状態にする。前記上板軸２０は装置本体に開閉可能（回動可能）に装着された上カバー２４に設けられており、上板１９と上カバー２４とは同時に開閉可能なようにリンク（不図示）で連結されている。
【００２９】
また、上カバー２４は、上記上板１９の回転軸（上板軸）２０とは異なる位置に設けられた回転軸２４ｄを中心に回転する。インクカセット１０の位置決めは、幅方向には左右のフレーム２１に収まるように挿入し、インクカセット１０のリボン供給部１０ａ及びリボン巻取り部１０ｂのそれぞれの底側の曲面を後カセットガイド１４及び前カセットガイド４９の上側の曲面に当接させることにより行われる。しかし、ボビン２２（供給側ボビン２２ａ、巻取りボビン２２ｂ）が巻取りボビン軸１２に係合できる位置に常にあると、インクカセット１０の装填時に該カセット１０の側端部とボビン２２とが干渉することになり、インクカセット１０の装填を行うことができない。
【００３０】
そのために、上板１９の開閉に合わせて装置本体１側のボビン２２をその中心軸と垂直方向に前後させるとともに中心軸方向にも所定量だけ移動させる機構が設けられており、上板１９の最大開口時にはボビン２２の先端がフレーム２１の外側に向けて逃げる（退避する）ことで、インクカセット（インクシートカセット）１０を着脱するときの干渉が起きないような構成になっている。また、上板１９を閉じたときには、装置本体１側のボビン２２（巻取りボビン２２ｂ）が巻取りボビン軸１２の円筒形状部１２ａと十分に係合する距離だけ飛び出す（突出してくる）ように構成されている。上板１９を開いた状態ではサーマルヘッド１８は装置外部に剥き出しの状態であり、印画中にはサーマルヘッド１８の発熱体の温度は摂氏数１００度に達するため、印画直後にユーザーがサーマルヘッド１８に直接的に触れることを防止する必要がある。そのため、上板１９が開口された時には、円筒形状を半分にした断面半円形状の保護カバー２３によってサーマルヘッド１８を全体的に覆うように構成されている。
【００３１】
図６において、保護カバー２３の両端の突起軸（支持用突起）は、それぞれ、上板１９の両端部に設けられた保持部で回動可能に支持されており、保護カバー２３は前記突起軸を中心に回転自在である。保護カバー２３の端部（図示の例では一方の端部）にはカム形状の突起が形成されており、このカム形状突起は上カバー２４に設けられたレバー部（作動突起部）と常に当接している。外装カバー部材としての上カバー２４の回転軸２４ｄは上板１９の回転軸２０と異なる位置に別々に設けられているため、上板１９にリンクで連結された上カバー２４は、上板１９を開閉する時に該上板１９とずれながら連動して開閉される。この開閉の際の動きのずれによって、上カバー（外装カバー部材）２４の前記レバー部が保護カバー２３の前記カム形状突起を押し込むことにより、保護カバー２３は開閉動作に連動して前記突起軸を中心に回転させられる。これによって、上板１９を開口した時には保護カバー２３がサーマルヘッド１８に覆い被ってユーザーのサーマルヘッド１８への接触を防ぎ、上板１９を閉じたときには保護カバー２３が上カバー２４に当接する位置へ回転させられ、インクカセット１０に覆い被さる形で収納されることでサーマルヘッド１８を開放させるように構成されている。
【００３２】
次に、印画時のインクシート１３の移動（巻取り）経路について説明する。インクカセット１０を装填した後の印画時のリボン（インクシート）１３は、図３に示すように、供給ボビン軸１１から巻き解かれるとリボン供給部１０ａの出口縁部と摺動し、次にヘッドカバー４６と摺動した後、プラテンローラ１７とサーマルヘッド１８の間で記録紙Ｐに圧着されながら加熱され、剥離板４７まで記録紙Ｐと密着して搬送される。さらに、インクシート１３は、剥離板４７と摺動した後、搬送ローラ対７、８に向かう記録紙Ｐの搬送路に所定の角度を持つように設けられた角度軸４８により記録紙Ｐから引き剥がされ、角度軸４８と摺動した後、リボン巻取り部１０ｂの入り口縁部上側と摺動しながら巻取りボビン軸１２に巻き回される。
【００３３】
図７は図１の記録装置における駆動系としての駆動モータ２５及びそのギア列２５Ｇの構成を示す模式図であり、図８は図１の記録装置における駆動系としての駆動モータ２６によって回転駆動されるギア列２６Ｇ中のカムギアの表面（ａ）及び裏面（ｂ）を示す模式図である。図７において、駆動モータ２５の出力軸に固着されたカサバギア（傘歯ギア）２７は対になる片方のカサバギア２８と噛合し、カサバギア２８と同軸にアイドルギア２９が固定されている。紙搬送ローラ８と同軸の紙送りローラ駆動ギア３０は、回転自在に常時噛合された３つのギアを介してアイドルギア２９と連結（連動）されている。紙送りローラ駆動ギア支持軸３１には、その軸を中心に回転自在に支持されたギアレバー３２及びギアレバー３３が取り付けられている。
【００３４】
ギアレバー３２の先端部には、ボビン伝達ギア３４を回転自在に軸支するボビン伝達ギア支持軸３５が設けられている。ボビン伝達ギア３４は、紙送りローラ駆動ギア３０と常時噛合しながら紙送りローラ駆動ギア支持軸３１を中心に公転可能に配置されている。ボビン伝達ギア３４の図示右側にはボビンギア３６が回転自在に配置されている。このボビンギア３６は巻取りボビン軸１２と同軸に配置されている。ボビンギア３６は、ボビン伝達ギア３４の公転動作により、ボビン伝達ギア３４との噛合、噛合解除を選択できるように配置されている。
【００３５】
もう一方のギアレバー３３の先端部には、給紙伝達ギア３７を回転自在に軸支する給紙伝達ギア支持軸３８が設けられている。給紙伝達ギア３７は、紙送りローラ駆動ギア３０と常時噛合しながら紙送りローラ駆動ギア支持軸３１を中心に公転可能に配置されている。給紙伝達ギア３７はピッチ径の異なるメインギア３７ａとサブギア３７ｂで構成されている。給紙伝達ギア３７の図示右側には給紙ローラ駆動ギア３９が配置されている。この給紙ローラ駆動ギア３９は給紙ローラ３と同軸に配置されている。給紙ローラ駆動ギア３９は、給紙伝達ギア３７の公転動作により、該給紙伝達ギア３７のサブギア３７ｂとの噛合、噛合解除を選択できるように配置されている。ギアレバー３３とフレーム２１との間には引っ張りバネ４０が張架されており、通常状態では、ギアレバー３３は図示の下方へ引き下ろされた状態にあり、給紙伝達ギア３７のサブギア３７ｂと給紙ローラ駆動ギア３９との噛合は解除されている。
【００３６】
給紙伝達ギア支持軸３８には該支持軸を中心に回転自在な揺動板４１が取り付けられている。揺動板４１の先端部に設けられた支持軸（揺動ギア支持軸）には、揺動ギア４２が回転自在に軸支されている。揺動ギア４２は、給紙伝達ギア３７のサブギア３７ｂと常時噛合しながら給紙伝達ギア支持軸３８を中心に公転可能に配置されている。揺動ギア４２の公転動作により、揺動ギア４２と給紙ローラ駆動ギア３９との噛合、噛合解除を選択できるように配置されている。図８に示すカムギア４は、駆動モータ２６の駆動力によりギア列２６Ｇを介して回転駆動されるものである。このカムギア４の表裏には、それぞれ２つずつ、合計４つのカムが形成されている。カムギア４の図１の正面側に向かって表側に相当する表面には、ギアレバー３２の昇降用カム４ａとギアレバー３３の昇降用カム４ｂが配置されており、一方、裏側に相当する裏面には、紙押し上げ板５の昇降用カム４ｃとプラテンローラ１７の昇降用カム４ｄが配置されている。
【００３７】
紙搬送ローラ（紙送りローラ）８を装置手前方向（印画動作時の方向、時計回り）に回転させるときには、紙送りローラ駆動ギア３０を時計回りに回転させるように駆動する。これにより、紙送りローラ駆動ギア３０に噛合するボビン伝達ギア３４を時計回りに公転させ、ボビン伝達ギア３４をボビンギア３６に噛合させる。すると、ボビン伝達ギア３４が紙送りローラ駆動ギア３０と反対方向の反時計回りに回転していることから、ボビンギア３６はボビン伝達ギア３４と反対方向の時計回りに回転する。このボビンギア３６の時計回りの回転により、印画動作時におけるリボンの巻取りが行われる。印画時にはこのような動作で何ら不都合はないが、紙搬送ローラ８が同じ方向に回転する排紙時には、リボンの巻取り動作は無用であるため、カムギア４によってギアレバー３２を引き起こすことにより、強制的にボビン伝達ギア３４とボビンギア３６の噛合を解除する動作を行う。
【００３８】
印画時及び排紙時には記録用紙Ｐが給紙ローラ３の上側を通るため、紙送りローラ８と給紙ローラ３とを常に同一方向に回転させる必要がある。そのために、カムギア４を用いて引っ張りバネ４０の張力に反してギアレバー３３を強制的に引き起こすことにより、給紙伝達ギア３７のサブギア３７ｂと給紙ローラ駆動ギア３９とが常に噛合している状態にする。そうすることにより、紙送りローラ駆動ギア３０と給紙ローラ駆動ギア３９が給紙伝達ギア３７の逆回転を介して同一方向に回転することになる。これによって、紙搬送ローラ８と給紙ローラ３は共に時計回り方向（排紙方向）に回転駆動されることになる。一方、給紙時においては、記録紙Ｐが給紙ローラ３の下側を通るため、紙搬送ローラ８を反時計回りに回転させるとともに、給紙ローラ３を時計回りに回転させる必要がある。
【００３９】
そこで、給紙時には、カムギア４によるギアレバー３３の強制引き起しを解除することにより該ギアレバー３３を自動的に下降させるとともに、紙送りローラ駆動ギア３０を給紙方向（反時計回り）に回転駆動する。すると、紙送りローラ駆動ギア３０と常時噛合する給紙伝達ギア３７のメインギア３７ａとサブギア３７ｂが時計回りに回転し、サブギア３７ｂに噛合する揺動ギア４２が給紙伝達ギア支持軸３８を中心に時計回りに公転し、揺動ギア４２と給紙ローラ駆動ギア３９が噛合する。従って、揺動ギア４２が給紙伝達ギア３７と反対方向の反時計回りに回転し、給紙ローラ駆動ギア３９が揺動ギア４２と反対方向の時計回りに回転する。これにより、給紙時における紙搬送ローラ８の反時計回り回転と給紙ローラ３の時計回り回転が実現される。
【００４０】
図９は図８のカムギア４の各回転位置における各機構の動作状態を示す図表である。図９において、カム回転位置Ｇはリボン巻取り用のモードであり、このモードでは、ボビンギア３６を回転させるためギアレバー３２の噛合解除は行わず、ボビン伝達ギア３４をボビンギア３６に噛合させておく。カム回転位置Ｈは給紙動作用モードであり、このモードでは、紙搬送ローラ８と給紙ローラ３を反対方向に回転させるためにギアレバー３３を下降させ、紙送りローラ駆動ギア３０を反時計回りに回転させることにより、給紙伝達ギア３７及び揺動ギア４２を介してて給紙ローラ駆動ギア３９を時計回りに回転させる。これと同時に、用紙カセット２内の記録紙Ｐを給紙ローラ３に圧接させるためにカムギアのカム４ｃによって紙押し上げ板５を押し上げる。また、この給紙動作用モードでは、リボン１３の巻き取りは無用であるので、ギアレバー３２を押し上げてボビン伝達ギア３４とボビンギア３６との噛合を解除させる。
【００４１】
カム回転位置Ｊは印画用（記録用）のモードであり、このモードでは、リボン（インクシート）１３を巻き取るためにギアレバー３２の噛合解除は行わずに噛合位置に保持しておき、サーマルヘッド１８とインクシート１３と印画用紙Ｐとを互いに圧接させるためにプラテンローラ１７を押し上げる。カム回転位置Ｋは排紙動作等の給紙・印画以外の紙搬送（紙送り）のためのモードであり、このモードでは、ギアレバー３２を押し上げてボビン伝達ギア３４とボビンギア３６との噛合を解除させることにより、リボンを巻き取らせないようにする。
【００４２】
本実施の形態に係る記録装置には、記録紙（記録用紙）Ｐの有無を検出するための紙センサ、並びにリボンマーカー（インクシート上のマーク）を検出するためのリボンセンサが設けられている。これらのセンサは反射型フォトセンサで構成されている。すなわち、図１〜図３において、紙センサ４３、４４は、センサ位置における記録用紙の有無を確認することにより、印画実行中に記録用紙が搬送路を正しく通過しているかセンシングし、それによって、記録紙ジャム等の検出を行ったり、印画開始位置を決定するために用いられる。リボンセンサ４５はインクシート１３のＹ、Ｍ、ＣとＯＰ層（オーバーコート層、保護層）の先頭にそれぞれマークされた色先頭検出用マーカーを検出することにより、インクシート１３の各色シート領域の頭出しに用いられる。その場合、印画先頭色Ｙにのみマーカーが２本マークされており、他色Ｍ、Ｃ、ＯＰと印画先頭色Ｙを区別することが可能である。
【００４３】
図１０は本発明を適用した記録装置における印画動作のシーケンスを示すフローチャートである。次に、図１０を用いて一連の印画動作のシーケンスを説明する。図１０において、ステップＳ１では、ユーザーが不図示のプリントボタンもしくはデジタルカメラやデジタルビデオカメラからの印画指示などによってプリント動作（記録動作）を指示する。ステップＳ２では、装置本体１内部の処理回路でプリント指示を実行した機器との通信を開始し、処理回路ではプリント指示を実行した機器との間でプリントに必要な諸条件の確認や必要な画像情報の印画情報への画像処理などを行う。デジタルカメラＤＣのプリント画像情報について、接続されているプリント装置の機種にとって最適な色やシャープネス処理を行った後、デジタルカメラＤＣの画素数とプリント装置（記録装置）１から出力するプリントサイズに合わせた画素へ補間処理を行ってからプリント装置本体１へ画像情報を送出する。
【００４４】
印画準備が整ったところで、ステップＳ３において、制御手段により駆動モータ２６を回転させてカムギア４を回転位置Ｇのリボン巻取りモードにし、駆動モータ２５を回転させてリボンを巻取りながらリボンセンサ４５で２本連続マーカーの検出を行うことにより、先頭色Ｙの頭出しを行う。ステップＳ４では、リボン頭出し終了後、駆動モータ２６を回転させカムギア４を回転位置Ｈの給紙モードにし、用紙カセット２内の記録紙Ｐを給紙ローラ３に圧接させ、駆動モータ２５を回転させて記録紙Ｐを装置本体１内に供給する。そして、紙センサ４４、４３で記録紙を検出しながら給紙を続行し、紙センサ４４が用紙非検出になった地点から更に所定の回転量だけ駆動モータ２５を回転させることにより、記録紙Ｐを図２に示すような印画開始位置にセットする。次いで、ステップＳ５において、駆動モータ２６を回転させカムギア４を回転位置Ｊの印画モードにしてプラテンローラ１７をサーマルヘッド１８に向けて圧接させ、駆動モータ２５を回転させて所定の紙搬送を行いながら、画像情報に基づいてサーマルヘッド１８を発熱駆動することにより記録紙Ｐに対する最初のインク色の印画（熱転写記録）を行う。
【００４５】
最初インク色の印画を終了した後、ステップＳ６において、引き続き駆動モータ２５を回転させるながら、駆動モータ２６を回転させカムギア４を回転位置Ｇのリボン巻取りモードにしてリボンを巻き取ることにより、リボンセンサ４５による次色の先頭マーカーの検出を行い、インクシート１３の次色の頭出しを行う。次色の頭出しを終了した後、ステップＳ７において、駆動モータ２６を回転させカムギア４を回転位置Ｋの用紙搬送モードにし、駆動モータ２５をステップＳ４〜ステップＳ６における回転量と同じ回転量だけ逆回転させることにより、記録紙Ｐの用紙位置を図２に示すような印画開始位置に戻す。そして、次のインク色の印画を行い、Ｙ、Ｍ、Ｃ、ＯＰについて同様の印画動作を繰り返すことにより、所望の印画像を記録紙Ｐに転写記録する。ステップＳ８で、ＯＰ（保護層）の印画を終了したことから、印画動作が終了したことを判断する。次いで、ステップＳ９において、引き続き駆動モータ２５を回転させながら、駆動モータ２６を回転させてカムギア４を回転位置Ｋの用紙搬送モードにし、そのまま記録用紙を排出して、印画動作のシーケンスを終了する。
【実施例１】
【００４６】
図１１は本発明を適用した熱転写式記録装置のインクシートカセット１０のリボン観察孔１０ｆが設けられた壁面部を示す模式的部分側面図であり、図１２は本発明を適用した熱転写式記録装置のインクシートカセット装着時の状態を示す模式的斜視図である。次に本発明を適用した熱転写式記録装置のインクシート（インクリボン）の残量チェックのための構成について説明する。図５及び図１１に示すように、供給ボビン軸１１には、そのボビン係合部（装置本体側のボビン２２ａとの係合部）の反対側の端部に、該ボビン軸１１をインクカセット１０のボビン係合部側へ付勢するバネを受けるためのフランジ１１ｃが形成されている。前記フランジ１１ｃには、ボビン側面（インクカセット側面）から供給ボビン軸１１上のインクシート１３の巻取り量（巻回量）を観察できる複数の孔が開けられている。インクカセット１０のリボン供給部１０ａは、供給ボビン軸１１がインクシート１３を巻き回した状態で収納されている際に、インクカセット１０の外部からフランジ１１ｃの孔を通してインクシート１３の巻取り量（巻回量）を確認できるように、ボビン係合側の反対側の壁面にリボン観察孔１０ｆが設けられている。
【００４７】
図１１はインクカセット１０のリボン供給部１０ａをリボン観察孔１０ｆ側の真横から見た状態を示す図である。使用者はリボン観察孔１０ｆを通してボビン軸１１のフランジ１１ｃを覗くことができ、該フランジ１１ｃに設けられた孔を通してボビン軸１１に巻き回されているインクシートを観察（視認）することができる。ボビン軸１１のフランジ部１１ｃには目盛りが記されており、使用者はその目盛りを基準にしてインクカセット１０に残っているインクシート１３の量を読み取ることができる。それによって、例えば記録紙Ｐの枚数にして、あと何枚程度の記録紙に記録（印画）することが可能であるかを判定することができる。
【００４８】
図１２はインクカセット１０を装置本体１に装填した状態の概略図である。装置本体の外装の側面には、装填されたインクカセット１０のリボン観察孔１０ｆを覗くことができる大きさの孔（リボン観察窓）５９が形成されている。このリボン観察窓５９は透明な樹脂によって透視可能に塞がれた窓になっている。装置本体の外装の裏側のリボン観察窓５９の近傍には発光ダイオードが取り付けられており、インクカセット１０を装着した状態で該ダイオードが発光してリボン観察孔１０ｆを照明することにより、使用者がインクカセット１０内のインクシート（リボン）の巻回状態を明瞭に観察できるように構成されている。
【００４９】
以上の説明から明らかなごとく、本実施例によれば、記録手段としての複数の加熱素子を有する加熱手段により、インクシート上のインクを被記録材に転写して記録する熱転写式記録装置において、装置本体１内部に装填されるインクシートカセット１０の供給ボビン軸１１の端部にフランジ部１１ｃを設け、前記該フランジ部に供給ボビン軸上のインクシート１３の巻回状態を観察できる孔を形成し、前記インクシートカセットの側面に前記孔を通してインクシートの巻回量を確認できる観察孔１０ｆを形成し、装置本体内部に前記フランジ部に照明を当てる照明手段を設けるとともに、装置本体の外装に前記フランジ部を見ることができる観察窓５９を設けるように構成されている。
【実施例２】
【００５０】
図１３は本発明を適用した熱転写式記録装置のボビン飛び出し機構を示す模式的斜視図であり、図１４は図１３のボビン飛び出し機構の分解斜視図である。次に本発明を適用した熱転写式記録装置のボビン飛び出し機構について説明する。図１３及び図１４において、供給側ボビン２２ａは供給側ボビン支持部材６０を軸にして軸方向に平行移動可能に支持され、巻取りボビン２２ｂも巻取りボビン支持部材６１（６１ａ、６１ｂ、６１ｃ）を軸にして軸方向に平行移動可能に支持されている。供給側ボビン支持部材６０及び巻取りボビン支持部材６１は、それぞれ、ボビン飛び出し機構支持部材６２に設けられた支持軸に回動可能に固定されている。ボビン飛び出し機構支持部材６２はその両端部でフレーム部２１に固定されており、従って、ボビン飛び出し機構は、ボビン飛び出し機構支持部材６２を介して、装置本体に取り付けられている。
【００５１】
巻取りボビン支持部材６１は、図１４に示すように、６１ａ、６１ｂ、６１ｃの３点の部品から成り、６１ｂと６１ｃとの間にはボビンギア３６が同軸関係で配置されている。このボビンギア３６は巻取りボビン支持部材６１によって該巻取りボビン支持部材６１とと独立に回動可能に支持されている。また、ボビンギア３６は、バネ６７により両側の部品から圧力を受けて挟持されており、片側の巻取りボビン支持部材６１ｂとの間に配置された摩擦抵抗用フェルト６８を介して、巻取りボビン支持部材６１に対して一定の摩擦抵抗をもって、所定値以上の回転力を受けるときに自由に回動するように回動可能に支持されている。駆動モータ２５によってギア群を介してボビンギア３６に伝達された回転トルクは、前記摩擦抵抗を上回らない限り、巻取りボビン支持部材６１に伝達され、巻取りボビン支持部材６１の回転トルクは巻取りボビン２２ｂに伝達される。
【００５２】
ボビン飛び出し機構支持部材６２には、ボビン飛び出し駆動部材６３が、ボビンの回転軸方向と直交して水平にのみ平行移動可能に支持されている。図示の例では、ボビン飛び出し駆動部材６３は、ボビン飛び出し機構支持部材６２に設けられた２本の支持軸にボビン飛び出し駆動部材６３に形成された水平方向の長孔（溝孔）をスライド可能に係合させることにより、水平方向に平行移動可能に支持されている。ボビン飛び出し駆動部材６３の両端部のそれぞれには、水平面内で所定方向に傾斜した溝（例えば４５度溝）６３ａ、６３ｂが形成されている。そして、供給側ボビン２２ａ側の溝６３ａには、供給側ボビン２２ａに回転軸を同じにして回動可能に連結される供給側ボビン連結部材６４の突起部が摺動可能に嵌合（係合）されている。
【００５３】
また、巻取りボビン２２ｂ側の溝６３ｂには、巻取りボビン２２ｂに回転軸を同じにして回動可能に連結される巻取りボビン連結部材６５の突起部が摺動可能に嵌合されている。本実施例では、ボビン飛び出し駆動部材６３に設けられた溝６３ａ、６３ｂは、両ボビン２２の平行移動可能な方向のベクトルとボビン飛び出し駆動部材６３が平行移動可能な方向のベクトルにそれぞれ４５度の角度をなすような方向に形成されており、両ボビン連結部材６４、６５はその溝６３ａ、６３ｂの方向にのみ平行移動可能にボビン飛び出し駆動部材６３に嵌合（係合）されている。ボビン飛び出し駆動部材６３と上板１９とは、バネ性を持つ金属製の中間材を有する上板連結部材６９によって連結されている。そのため、インクカセット１０を装填するときなどに、上板１９を開くと、該上板１９の動きに連動して上板連結部材６９がボビン飛び出し駆動部材６３を装置後方（図示右上方向）へ引っ張るように作用する。
【００５４】
ボビン飛び出し駆動部材６３の溝６３ａ、６３ｂに嵌合している両ボビン連結部材６４、６５は、それぞれが連結されている供給側ボビン２２ａ、巻取りボビン２２ｂがそれぞれのボビン支持部材６０、６１の軸方向にのみ平行移動が可能である。そのため、ボビン飛び出し駆動部材６３が装置後方へと移動すると、両ボビン連結部材６４、６５は溝６３ａ、６３ｂに嵌合しながら両ボビン支持部材６０、６１の軸方向に（ボビン飛び出し駆動部材６３側に）移動し、両ボビン連結部材６４、６５に連結された両ボビン（供給側ボビン２２ａ及び巻取りボビン２２ｂ）もフレーム２１から頭部を引っ込める方向に移動する。逆に、インクカセット１０を装置本体内部に装填して上板１９を閉じると、該上板１９の動きに連動して、上板連結部材６９がボビン飛び出し駆動部材６３を装置前方（図示左下方向）へ押し出すように作用し、上記とは逆の動作が行われる。この逆方向の動作の作用によって、両ボビン２２（供給側ボビン２２ａ、巻取りボビン２２ｂ）はフレーム２１から飛び出してインクカセット内の両ボビン軸（供給ボビン軸１１、巻取りボビン軸１２）と係合し、インクカセット１０が正常動作可能に装填された状態となる。
【００５５】
本実施例によれば、記録手段としての複数の加熱素子を有する加熱手段により、インクシート上のインクを被記録材に転写して記録する熱転写式記録装置において、装置本体１に装填されるインクシートカセット１０のボビン軸１１又は１２を回動させるためのボビン駆動部と、該インクシートカセットのボビン軸に回転抵抗を付与する回転抵抗部と、を備え、前記ボビン駆動部は、インクシートカセットが脱着可能な状態のときは前記ボビン軸が軸方向に移動して係合が外れ、インクシートカセットが装填された状態では該ボビン軸に回転力伝達可能に係合し、前記回転抵抗部は、インクシートカセットが脱着可能な状態のときは前記ボビン軸が軸方向に移動して係合が外れ、インクシートカセットが装填された状態では該ボビン軸に係合するように構成されている。また、前記ボビン駆動部と前記回転抵抗部は、記録手段としての前記加熱手段１８の回動動作に連動して前記ボビン軸との係合が外れるように構成されている。
【００５６】
なお、以上の実施の形態では、熱転写式記録装置が被記録材の全幅または一部をカバーする長さのラインタイプのサーマルヘッドを用いて副走査のみで記録するライン型記録装置である場合を例に挙げて説明したが、本発明は、サーマルヘッドを主走査方向に移動させながら記録するシリアル型記録装置の場合にも、同様に適用することができ、同様の効果を達成し得るものである。また、本発明は、単色記録を行う記録装置、１個または複数個の記録ヘッドを用いて複数の異なる色で記録するカラー記録装置、同一色彩で異なる濃度の複数濃度で記録する階調記録装置、さらには、これらを組み合わせた記録装置などの場合にも、同様に適用することができ、同様の効果を達成しうるものである。
【図面の簡単な説明】
【００５７】
【図１】本発明を適用した熱転写式記録装置の概略構成を示す模式的縦断面図である。
【図２】図１の熱転写式記録装置において記録用紙が印画開始位置にあるときの状態を示す模式的縦断面図である。
【図３】図１の熱転写式記録装置において記録用紙が印画終了位置にあるときの状態を示す模式的縦断面図である。
【図４】図１中のインクカセットの模式的斜視図である。
【図５】図４のインクカセットの分解斜視図である。
【図６】図４のインクカセットを記録装置に装填する時の状態を示す模式的斜視図である。
【図７】図１の熱転写式記録装置の駆動力伝達系におけるギア列を説明するための模式図である。
【図８】図１の熱転写式記録装置における駆動系に使用されるカムギアの表面（ａ）及び裏面（ｂ）を示す模式的正面図である。
【図９】図８のカムギアの各回転位置における動作内容を示す図表である。
【図１０】本発明を適用した熱転写式記録装置における印画動作のシーケンスを示すフローチャートである。
【図１１】本発明を適用した熱転写式記録装置のインクシートカセットのリボン供給部の構成を示す部分側面図である。
【図１２】本発明を適用した熱転写式記録装置においてインクシートカセットを装着した時の外観の状態を示す模式的斜視図である。
【図１３】本発明を適用した熱転写式記録装置のボビン飛び出し機構を示す模式的斜視図である。
【図１４】図１３のボビン飛び出し機構を分解して示す模式的斜視図である。
【符号の説明】
【００５８】
１      装置本体
２      用紙カセット
３      給紙ローラ
４      カムギア
４ａ    ギアレバー３２昇降用カム
４ｂ    ギアレバー３３昇降用カム
４ｃ    押し上げ板昇降用カム
４ｄ    プラテンローラ昇降用カム
５      押し上げ板
６      押し上げプレート
７      ピンチローラ
８      紙搬送ローラ（紙送りローラ）
９      経路切り替えフラップ
１０    インクカセット（インクシートカセット、リボンカセット）
１０ａ  リボン供給部
１０ｂ  リボン巻取り部
１０ｃ  連結部材
１０ｄ、１０ｅ  ボビン軸係合用内壁
１０ｆ  リボン観察孔
１１    供給ボビン軸
１２    巻取りボビン軸
１３    インクシート（リボン）
１４    後カセットガイド
１５    紙送りガイド
１６    紙押さえローラ
１７    プラテンローラ
１８    サーマルヘッド（記録手段、加熱手段）
１９    上板
２０    上板軸
２１    フレーム
２２    ボビン
２２ａ  供給側ボビン
２２ｂ  巻取りボビン
２３    保護部材（保護カバー）
２４    上カバー（外装カバー部材）
２４ｄ  回転軸
２５、２６    駆動モータ
２７、２８    カサバギア
２９    アイドルギア
３０    紙送りローラ駆動ギア
３１    紙送りローラ駆動ギア支持軸
３２、３３    ギアレバー
３４    ボビン伝達ギア
３５    ボビン伝達ギア支持軸
３６    ボビンギア
３７    給紙伝達ギア
３７ａ    メインギア
３７ｂ    サブギア
３８    給紙伝達ギア支持軸
３９    給紙ローラ駆動ギア
４０    引っ張りバネ
４１    揺動板
４２    揺動ギア
４３、４４    紙センサ
４５    リボンセンサ
４６    ヘッドカバー
４７    剥離板
４８    角度軸
４９    前カセットガイド
５９    リボン観察窓
６０    供給側ボビン支持部材
６１    巻取りボビン支持部材
６２    ボビン飛び出し機構支持部材
６３    ボビン飛び出し駆動部材
６３ａ、６３ｂ    溝
６４    供給側ボビン連結部材
６５    巻取りボビン連結部材
６７    バネ
６８    摩擦抵抗用フェルト
６９    上板連結部材
Ｐ      記録紙（被記録材、記録用紙）
Ｐａ    用紙先端
Ｐｂ    用紙後端
【図１】
2005074728.tif 000003
【図２】
2005074728.tif 000004
【図３】
2005074728.tif 000005
【図４】
2005074728.tif 000006
【図５】
2005074728.tif 000007
【図６】
2005074728.tif 000008
【図７】
2005074728.tif 000009
【図８】
2005074728.tif 000010
【図９】
2005074728.tif 000011
【図１０】
2005074728.tif 000012
【図１１】
2005074728.tif 000013
【図１２】
2005074728.tif 000014
【図１３】
2005074728.tif 000015
【図１４】
2005074728.tif 000016